(57)【要約】【課題】工期の大幅な短縮を図ると共に、キッチンキャビネット等を取り外すことなく利用して低コストで施工することのできるキッチンのリフォーム方法を提供する。【解決手段】キッチンキャビネット１０の下部に設けられる収納空間２０の採寸を行う第１工程Ａと、前記収納空間２０の採寸に基づき前記収納空間２０に取り付ける引出し５０及び前記引出し５０を前記収納空間２０内で支持する引出しのスライドレール付き支持板６０を予め製造する第２工程Ｂと、前記キッチンキャビネット１０下部の収納空間２０に備え付けられた開き戸又は／及び引出し並びに前記引出しを支持するスライドレールを取り外す第３工程Ｃと、前記第２工程Ｂで製造された前記引出しのスライドレール付き支持板６０を前記収納空間を仕切る仕切板３１，３２，３３，３４に取り付ける第４工程Ｄと、前記引出しのスライドレール付き支持板に引出しを取り付ける第５工程Ｅとを備えた。【選択図】図４
2014124254.tif 000002
【特許請求の範囲】
【請求項１】
キッチンに備え付けられたキッチンキャビネットの下部に設けられる収納空間の採寸を行う第１工程と、
前記収納空間の採寸に基づき前記収納空間に取り付ける引出し及び前記引出しを前記収納空間内で支持する引出しのスライドレール付き支持板を予め製造する第２工程と、
前記キッチンキャビネット下部の収納空間に備え付けられた開き戸又は／及び引出し並びに前記引出しを支持するスライドレールを取り外す第３工程と、
前記第２工程で製造された前記引出しのスライドレール付き支持板を前記収納空間を縦方向に間仕切る仕切板に取り付ける第４工程と、
前記引出しのスライドレール付き支持板に引出しを取り付ける第５工程と、
を備えることを特徴とするキッチンのリフォーム方法。
【請求項２】
前記第３工程乃至第５工程の一連の工程を１日の作業時間内に終了させることを特徴とする請求項１に記載のキッチンのリフォーム方法。
【請求項３】
請求項１に記載の第１工程乃至第５工程を備え、
さらに、前記キッチンキャビネットの上方に設けられる吊り戸棚の採寸を行う第６工程と、
前記吊り戸棚の採寸に基づき前記吊り戸棚に取り付ける前記吊り戸棚の扉を予め製造する第７工程と、
前記吊り戸棚の扉を取り外す第８工程と、
前記第７工程で製造された吊り戸棚の扉を前記吊り戸棚に取り付ける第９工程と、
を備えることを特徴とするキッチンのリフォーム方法。
【請求項４】
前記第３工程乃至第５工程並びに前記８工程及び第９工程の一連の工程を１日の作業時間内に終了させることを特徴とする請求項３に記載のキッチンのリフォーム方法。
【請求項５】
請求項１乃至請求項４の何れか一に記載のキッチンのリフォーム方法に使用される引出しのスライドレール付き支持板であって、
前記引出しのスライドレール付き支持板の底面は前記収納空間の底面と当接して取り付けられるべく形成されてなると共に、前記収納空間の前記仕切板と略同寸にて形成されてなることを特徴とする引出しのスライドレール付き支持板。
【発明の詳細な説明】
【技術分野】
【０００１】
本発明はキッチンのリフォーム方法等に関するものであり、より詳細にはキッチンに備え付けられたキッチンキャビネットの天板下部に設けられる収納用キャビネットのリフォーム方法等に関する。
【背景技術】
【０００２】
従来のキッチンは、流し台とガスコンロと作業台を作り込んだ天板と、前記天板の下部空間に設けられ食器や調理器具等を収納する収納空間とを備えるキャビネット（以下「キッチンキャビネット」という。）を備えるものが一般的である。また、前記キッチンキャビネットの上方空間に食器や調理器具等を収納するための吊り戸棚（以下「ウォールキャビネット」という。）を備えるものも一般的である。
【０００３】
そして、前記のようなキッチンをリフォームする場合は、前記キッチンキャビネットやウォールキャビネットを取り外して、キッチンの壁面の補修等を行い、その後、新たなキッチンキャビネットやウォールキャビネットを設置するという方法が採られている。このようなキッチンのリフォーム方法としては、例えば、特開平８−１００６７号（特許文献１）に記載のキッチンのリフォーム方法が公知である。
【０００４】
前記特許文献１に記載のキッチンのリフォーム方法は、短期間で改修工事を完了することのできるキッチンのリフォーム方法を提供するために、キッチン空間を形成する既存壁面の所定位置に複数のスタッドを固設し、該スタッドにキャビネット，パネル等を固設して前記既存壁面を隠すようにリフォームし、その後、新たなキッチンキャビネットやウォールキャビネットを設置するものである。
【０００５】
そして、これにより、既存のキッチン空間を形成する壁面を残したまま、その既存壁面の表面に複数のスタッドを固設し、このスタッドの表面にパネル，キャビネットを固設して既存壁面を隠し、新たなキッチン空間を形成することができ、既存壁面を壊し、作り直す作業を不要として、極めて短時間で工事を完了するようにするものである。
【先行技術文献】
【特許文献】
【０００６】
【特許文献１】特開平８−１００６７号公報
【発明の概要】
【発明が解決しようとする課題】
【０００７】
しかしながら、前記リフォーム方法においては、キッチン設備すなわち前記キッチンキャビネットやウオールキャビネットを取り外して、壁面の補修から行わなければならないため、リフォームに係る工事に相当程度の工期を必要とすると共に、キッチン設備すなわち前記キッチンキャビネットやウオールキャビネットを新たに用意しなければならず、キッチンのリフォーム工事に改修工期と費用が必要となる。
【０００８】
本発明は、かかる点に鑑みてなされたものであり、その目的とするところは、キッチンのリフォームを行う場合に、施工工事の工期の大幅な短縮を図ると共に、設置されているキッチンキャビネット等を取り外すことなく利用して低コストで施工することのできるキッチンのリフォーム方法を提供することにある。
【課題を解決するための手段】
【０００９】
請求項１に係るキッチンのリフォーム方法は、キッチンに備え付けられたキッチンキャビネットの下部に設けられる収納空間の採寸を行う第１工程と、前記収納空間の採寸に基づき前記収納空間に取り付ける引出し及び前記引出しを前記収納空間内で支持する引出しのスライドレール付き支持板を予め製造する第２工程と、前記キッチンキャビネット下部の収納空間に備え付けられた開き戸又は／及び引出し並びに前記引出しを支持するスライドレールを取り外す第３工程と、前記第２工程で製造された前記引出しのスライドレール付き支持板を前記収納空間を縦方向に間仕切る仕切板に取り付ける第４工程と、前記引出しのスライドレール付き支持板に引出しを取り付ける第５工程と、を備えることを特徴とする。
【００１０】
請求項１に係るキッチンのリフォーム方法にあっては、施工工事は第３工程乃至第５工程で終了するので、施工工事の工期の大幅な短縮を図ることができる。
【００１１】
請求項２に係るキッチンのリフォーム方法は、請求項１に記載のキッチンのリフォーム方法において、前記第３工程乃至第５工程の一連の工程を１日の作業時間内に終了させることを特徴とする。
【００１２】
請求項２に係るキッチンのリフォーム方法にあっては、施工工事は第３工程乃至第５工程で終了し、施工工事に必要な作業時間は早ければ数十分、通常であれば２〜３時間で終了することができ、遅くとも１日の作業時間内で終了することができるため、施工工事の工期の大幅な短縮を図ることができる。
【００１３】
請求項３に係るキッチンのリフォーム方法は、請求項１に記載の第１工程乃至第５工程を備え、さらに、前記キッチンキャビネットの上方に設けられる吊り戸棚の採寸を行う第６工程と、前記吊り戸棚の採寸に基づき前記吊り戸棚に取り付ける前記吊り戸棚の扉を予め製造する第７工程と、前記吊り戸棚の扉を取り外す第８工程と、前記第７工程で製造された吊り戸棚の扉を前記吊り戸棚に取り付ける第９工程と、を備えることを特徴とする。
【００１４】
請求項３に係るキッチンのリフォーム方法にあっては、キッチンキャビネットに加えて、吊り戸棚のリフォームを併せて行うことができると共に、施工工事は第３工程乃至第５工程及び第８工程、第９工程で終了するので、施工工事の工期の大幅な短縮を図ることができる。
【００１５】
請求項４に係るキッチンのリフォーム方法は、請求項３に記載のキッチンのリフォーム方法において、前記第３工程乃至第５工程並びに前記８工程及び第９工程の一連の工程を１日の作業時間内に終了させることを特徴とする。
【００１６】
請求項４に係るキッチンのリフォーム方法にあっては、キッチンキャビネットに加えて、吊り戸棚のリフォームを併せて行うことができると共に、施工工事は第３工程乃至第５工程及び第８工程、第９工程で終了し、施工工事に必要な作業時間は早ければ数十分、通常であれば２〜３時間で終了することができ、遅くとも１日の作業時間内で終了するため、施工工事の工期の大幅な短縮を図ることができる。
【００１７】
請求項５に係る引出しのスライドレール付き支持板は、請求項１乃至請求項４の何れか一に記載のキッチンのリフォーム方法に使用される引出しのスライドレール付き支持板であって、前記引出しのスライドレール付き支持板の底面は前記収納空間の底面と当接して取り付けられるべく形成されてなると共に、前記収納空間の前記仕切板と略同寸にて形成されてなることを特徴とする。
【００１８】
請求項５に係る引出しのスライドレール付き支持板にあっては、前記収納空間の両側は前記スライドレール付き支持板で覆われるため、前記木ねじの取り外し跡や前記スライドレールの取り外し跡を隠すことができ、良好な美観を呈することができると共に、前記スライドレール付き支持板の底面は前記収納空間の底面と当接して取り付けられているので、前記スライドレール付き支持板が受ける荷重を底面に逃がすことができ、強度性に優れたものとなる。
【発明の効果】
【００１９】
請求項１に記載のキッチンのリフォーム方法によれば、キッチンに備え付けられたキッチンキャビネットの下部に設けられる収納空間の採寸を行う第１工程と、前記収納空間の採寸に基づき前記収納空間に取り付ける引出し及び前記引出しを前記収納空間内で支持する引出しのスライドレール付き支持板を予め製造する第２工程と、前記キッチンキャビネット下部の収納空間に備え付けられた開き戸又は／及び引出し並びに前記引出しを支持するスライドレールを取り外す第３工程と、前記第２工程で製造された前記引出しのスライドレール付き支持板を前記収納空間を縦方向に間仕切る仕切板に取り付ける第４工程と、前記引出しのスライドレール付き支持板に引出しを取り付ける第５工程と、を備えているので、施工工事は第３工程乃至第５工程で終了するので、施工工事の工期の大幅な短縮を図ることができる。
【００２０】
請求項２に記載のキッチンのリフォーム方法によれば、請求項１に記載のキッチンのリフォーム方法において、前記第３工程乃至第５工程の一連の工程を１日の作業時間内に終了させることができるので、施工工事は第３工程乃至第５工程で終了し、施工工事に必要な作業時間は早ければ数十分、通常であれば２〜３時間で終了することができ、遅くとも１日の作業時間内で終了することができるため、施工工事の工期の大幅な短縮を図ることができる。
【００２１】
請求項３に記載のキッチンのリフォーム方法によれば、請求項１に記載の第１工程乃至第５工程を備え、さらに、前記キッチンキャビネットの上方に設けられる吊り戸棚の採寸を行う第６工程と、前記吊り戸棚の採寸に基づき前記吊り戸棚に取り付ける前記吊り戸棚の扉を予め製造する第７工程と、前記吊り戸棚の扉を取り外す第８工程と、前記第７工程で製造された吊り戸棚の扉を前記吊り戸棚に取り付ける第９工程と、を備えているので、キッチンキャビネットに加えて、吊り戸棚のリフォームを併せて行うことができると共に、施工工事は第３工程乃至第５工程及び第８工程、第９工程で終了するので、施工工事の工期の大幅な短縮を図ることができる。
【００２２】
請求項４に記載のキッチンのリフォーム方法によれば、請求項３に記載のキッチンのリフォーム方法において、前記第３工程乃至第５工程並びに前記８工程及び第９工程の一連の工程を１日の作業時間内に終了させることができるので、キッチンキャビネットに加えて、吊り戸棚のリフォームを併せて行うことができると共に、施工工事は第３工程乃至第５工程及び第８工程、第９工程で終了し、施工工事に必要な作業時間は早ければ数十分、通常であれば２〜３時間で終了することができ、遅くとも１日の作業時間内で終了することができるため、施工工事の工期の大幅な短縮を図ることができる。
【００２３】
請求項５に記載の引出しのスライドレール付き支持板によれば、請求項１乃至請求項４の何れか一に記載のキッチンのリフォーム方法に使用される引出しのスライドレール付き支持板であって、前記引出しのスライドレール付き支持板の底面は前記収納空間の底面と当接して取り付けられるべく形成されると共に、前記収納空間の前記仕切板と略同寸にて形成されているので、前記収納空間の両側は前記スライドレール付き支持板で覆われ、前記木ねじの取り外し跡や前記スライドレールの取り外し跡を隠すことができ、良好な美観を呈することができると共に、前記スライドレール付き支持板の底面は前記収納空間の底面と当接して取り付けられているので、前記スライドレール付き支持板が受ける荷重を底面に逃がすことができ、強度性に優れたものとなる。
【図面の簡単な説明】
【００２４】
【図１】本発明に係るキッチンのリフォームの対象となるキッチンの概略正面図である。
【図２】本発明に係るキッチンのリフォームの対象となるキッチンの概略斜視図である。
【図３】キッチンキャビネットの開き戸及び引出しを外した状態の概略斜視図である。
【図４】本発明に係るキッチンのリフォーム方法の工程の一例を示すフローチャートである。
【図５】新たに製造する引出しの斜視図である。
【図６】第２収納空間に取り付けるスライドレール付き支持板の側面図である。
【図７】同縦断面図である。
【図８】ウォールキャビネットの開き戸を取り外す工程を示す斜視図である。
【図９】キッチンキャビネットの開き戸の取り外す工程を示す斜視図である。
【図１０】キッチンキャビネットの開き戸の取り外す工程を示す斜視図である。
【図１１】第２収納空間からスライドレールを取り外す工程を示す斜視図である。
【図１２】キッチンキャビネット及びウォールキャビネットから開き戸及び引出しを取り外した状態を示す正面図である。
【図１３】同斜視図である。
【図１４】キッチンキャビネット１０の収納空間にスライドレール付き支持板を取り付ける工程を示す斜視図である。
【図１５】引出しをスライドレール付き支持板のスライドレールに嵌め込む工程を示す斜視図である。
【図１６】ウォールキャビネットに新たな開き戸を取り付ける工程を示す斜視図である。
【図１７】リフォームの完成状態を示す斜視図である。
【図１８】同正面図である。
【発明を実施するための形態】
【００２５】
以下、本発明に係るキッチンのリフォーム方法及びそれに使用する引出しのスライドレール付き支持板を製造するための実施例について、図面に従って説明する。
【００２６】
図１は本発明に係るキッチンのリフォームの対象となるキッチンキャビネット１０及び前記キッチンキャビネット１０の上方の壁面に取り付けられたウォールキャビネット４０の概略正面図であり、図２は同概略斜視図であり、図３は前記キッチンキャビネット１０の開き戸及び引出しを外した状態の概略斜視図である。
【００２７】
図１乃至図３に示すように、前記キッチンキャビネット１０は、上面に流し台１１と蛇口１２と作業台１３及びガスコンロ１４とを設けた天板１５と、前記天板１５の下方に調理器具や食器等を収納する収納空間２０を備えている。
【００２８】
前記収納空間２０は、前記天板１５と底板３９と仕切板３０，３１とによって、前記流し台１１下方に設けられた第１収納空間２１と、前記作業台１３の下方に設けられた第２収納空間２２と、前記ガスコンロ１４の下方に設けられた第３収納空間２３とに仕切られて形成されている。なお、前記キッチンキャビネット１０のフレームを構成する両側板１６，１７は、前記第１収納空間２１及び前記第３収納空間２３を間仕切る仕切板３２，３３として機能している。
【００２９】
そして、前記第１収納空間２１の前面には、蝶番２５を介して開き戸２６が開閉自在に取り付けられている。また、前記第２収納空間２２には、上下方向に３段に引出し２７，２８，２９が、前記仕切板３０，３１の夫々の対向面に取り付けられた前記引出し２７，２８，２９のスライドレール３４，３５，３６に、夫々嵌挿されている。さらに、前記第３収納空間２３の前面には、蝶番３７を介して開き戸３８が開閉自在に取り付けられている。
【００３０】
前記ウォールキャビネット４０は、前記キッチンキャビネット１０の上部の壁面に取り付けられており、その内部に調理器具や食器等を収納する収納空間４１を形成しており、前記収納空間４１の前面には開き戸４２を蝶番４３を介して開閉自在に取り付けている。
【００３１】
本発明に係るキッチンのリフォーム方法は、以上の構成からなるキッチンのリフォームを行うのに最適であり、図４に示すような工程を経て実施される。
【００３２】
図４は本発明に係るキッチンのリフォーム方法の工程の一例を示すフローチャートである。図４に示すように、本発明に係るキッチンのリフォーム方法は、先ず、第１工程Ａとして、リフォームの施工前に予め前記キッチンキャビネット１０の下部に設けられる収納空間２０（２１，２２，２３）の採寸を行う。このとき、併せて前記ウォールキャビネット４０の前記開き戸４２のリフォームを行う場合には、前記開き戸４２の採寸も行う（第６工程Ｆ）。
【００３３】
前記キッチンキャビネット１０については、少なくとも前記収納空間２１，２２，２３の間口寸法及び奥行寸法等の採寸を行い、前記収納空間の両側に臨む仕切板３１，３２，３３，３４の寸法を採寸しておく。また、前記ウォールキャビネット４０については、各開き戸４２，４２・・の各寸法も採寸しておく。
【００３４】
次に、第２工程Ｂとして、前記収納空間２０（２１，２２，２３）の採寸に基づき前記収納空間２０（２１，２２，２３）に取り付ける引出し５０及び前記引出し５０を前記収納空間内２０（２１，２２，２３）において支持する引出しのスライドレール付き支持板６０を予め製造する。また、併せて前記ウォールキャビネット４０の前記開き戸４２のリフォームを行う場合には、前記開き戸４２の採寸に基づき新たに開き戸５８（図１６乃至図１８参照）も製造しておく（第７工程Ｇ）。
【００３５】
図５は新たに製造する引出し５０（５１乃至５７）の斜視図であり、図６は第２収納空間２２に取り付けるスライドレール付き支持板６２Ｌ，６２Ｒの側面図であり、図７は同縦断面図である。図５に示すように、新たに前記収納空間２０（２１，２２，２３）に取り付けるのは全て引出し５０（５１乃至５７）であり、使い勝手の悪い開き戸２６，３８に替えて、近年の時流に合わせて採用するものであり、前記各引出し５０（５１乃至５７）の前面（図示せず。）には統一されたデザインを採用してリフォーム価値を高めている。
【００３６】
図６及び図７に示す前記スライドレール付き支持板６２Ｌ，６２Ｒは、第２収納空間２２の両側に取り付けるものであり、前記収納空間２２を間仕切る仕切板３１，３２の大きさに符合するように夫々全体を形成し、所望の位置にスライドレール６２ＳＲを予め取り付けて形成している。同様に、第１収納空間２１に取り付けるスライドレール付き支持板６１Ｌ，６１Ｒ及び第３収納空間２３に取り付けるスライドレール付き支持板６３Ｌ，６３Ｒも予め製造しておく。
【００３７】
次に、第３工程Ｃとして、前記第１収納空間２１及び第３収納空間２３に取り付けられた開き戸２６，３８並びに前記第２収納空間２２に取り付けられた引出し２７，２８，２９及びスライドレール３４，３５，３６を取り外す。また、併せて前記ウォールキャビネット４０の前記開き戸４２のリフォームを行う場合には、前記開き戸４２も同様にを取り外しておく（第８工程Ｈ）。
【００３８】
図８はウォールキャビネット４０の開き戸４２，４２・・の取り外す工程を示す斜視図であり、図９及び図１０はキッチンキャビネット１０の開き戸２６の取り外す工程を示す斜視図であり、図１１は第２収納空間２２からスライドレール３４，３５，３６を取り外す工程を示す斜視図であり、図１２はキッチンキャビネット１０及びウォールキャビネット４０から開き戸２６，３８，４２及び引出し２７，２８，２９を取り外した状態を示す正面図であり、図１３は同斜視図である。
【００３９】
図８乃至図１０に示すように、前記ウォールキャビネット４０及び前記キッチンキャビネット１０から前記各開き戸４２，２６，３８を取り外す場合は、各蝶番２５，４３のキャビネット１０，４０側のネジを外して前記各開き戸４２，２６，３８の取り外しを行う。このとき、嵌め込み棚がある場合には、同様に取り外しておき、図１２及び図１３に示すように前記収納空間２０（２１，２２，２３），４１を開放状態としておく。
【００４０】
次に、第４工程Ｄとして、前記第２工程Ｂで予め製造された前記スライドレール付き支持板６０（６１Ｌ，６１Ｒ，６２Ｌ，６２Ｒ，６３Ｌ，６３Ｒ）を前記収納空間２０（２１，２２，２３）を間仕切る仕切板（３０，３１，３２，３３）に夫々取り付ける。なお、本工程は後述する第９工程Ｉと同時に、または前後して行っても良い。
【００４１】
図１４はキッチンキャビネット１０の収納空間２０（２１，２２，２３）にスライドレール付き支持板６０（６１Ｌ，６１Ｒ，６２Ｌ，６２Ｒ，６３Ｌ，６３Ｒ）を取り付ける工程を示す斜視図である。図１４に示すように、前記スライドレール付き支持板６０（６１Ｌ，６１Ｒ，６２Ｌ，６２Ｒ，６３Ｌ，６３Ｒ）を、前記収納空間２０（２１，２２，２３）の夫々の両側の仕切板３０，３１，３２，３３に夫々木ねじで固定する。
【００４２】
そして最後に、第５工程Ｅとして、図１５の前記引出し５０（５１，５２，５３，５４，５５，５６，５７）を、前記スライドレール付き支持板６０（６１Ｌ，６１Ｒ，６２Ｌ，６２Ｒ，６３Ｌ，６３Ｒ）の各スライドレール６１ＳＲ，６２ＳＲ，６３ＳＲに嵌め込む工程を示す斜視図に示すように、新たに製造した前記引出し５０（５１，５２，５３，５４，５５，５６，５７）を、前記スライドレール付き支持板６０（６１Ｌ，６１Ｒ，６２Ｌ，６２Ｒ，６３Ｌ，６３Ｒ）の各スライドレール６１ＳＲ，６２ＳＲ，６３ＳＲに嵌め込み、前記引出し５０（５１，５２，５３，５４，５５，５６，５７）を取り付ける。また、併せて前記ウォールキャビネット４０の前記開き戸４２のリフォームを行う場合には、図１６のウォールキャビネット４０に新たな開き戸５８を取り付ける工程を示す斜視図に示すように、新たに製造した前記開き戸５８も同様に取り付けて（第９工程Ｉ）、図１７のリフォームの完成状態を示す斜視図及び図１８の同正面図に示すような状態として、リフォームの施工を完了する。
【００４３】
以上の第１工程Ａ乃至第５工程Ｅ（及び第６Ｆ工程乃至第９工程Ｉ）によって、前記キッチンキャビネット１０（及び前記ウォールキャビネット４０）のリフォームを施工するので、施工工事は第３工程乃至第５工程（及び第８工程Ｈ、第９工程Ｉ）のみで終了し、施工工事に必要な作業時間は早ければ数十分、通常であれば２〜３時間で終了することができ、遅くとも１日の作業時間内で終了するため、施工工事の工期の大幅な短縮を図ることができる。
【００４４】
また、本リフォーム方法による場合は、前記キッチンキャビネット１０の前記天板１５及び両側板１６，１７を残した状態でリフォームを行うため、低コストでリフォームを行うことができる。
【００４５】
また、前記スライドレール付き支持板６０（６１Ｌ，６１Ｒ，６２Ｌ，６２Ｒ，６３Ｌ，６３Ｒ）の大きさを前記収納空間２０（２１，２２，２３）を間仕切る仕切板３０，３１，３２，３３の大きさに符合するように夫々全体を形成しているので、前記収納空間２０（２１，２２，２３）の夫々両側面は前記スライドレール付き支持板６０（６１Ｌ，６１Ｒ，６２Ｌ，６２Ｒ，６３Ｌ，６３Ｒ）で覆われるため、前記木ねじの取り外し跡や前記スライドレール３４，３５，３６の取り外し跡を隠すことができ、良好な美観を呈することができる。
【００４６】
さらに、前記スライドレール付き支持板６０（６１Ｌ，６１Ｒ，６２Ｌ，６２Ｒ，６３Ｌ，６３Ｒ）の底面は前記収納空間２０（２１，２２，２３）の底面３９と当接して取り付けられているので、前記スライドレール付き支持板６０（６１Ｌ，６１Ｒ，６２Ｌ，６２Ｒ，６３Ｌ，６３Ｒ）が受ける荷重を底面３９に逃がすことができ、強度性及び耐久性に優れたものとなる。
【００４７】
なお、前記ウォールキャビネット４０がないキッチンの場合又は前記ウォールキャビネット４０のリフォームを必要としない場合は、前記キッチンキャビネット１０のリフォームのみを施工すればよい。
【００４８】
また、本実施例においては、前記キッチンキャビネット１０は、前記開き戸２６，３８と前記引出し２７，２８．２９とが混在するタイプのシステムキッチンであったが、これに限定されるものではなく、引出しのみで構成されるキッチンキャビネットにも、また、開き戸のみで構成されるキッチンキャビネットにも本発明は適用することができる。
【００４９】
さらに、本実施例においては、前記キッチンキャビネット１０は、前記天板１５、前記側板１６（３２），１７（３３）、前記底板３９及び前記仕切板３０，３１で前記収納空間２０（２１，２２，２３）を形成しているが、これに限定するものではなく、例えば、前記収納空間２０（２１，２２，２３）は、前面を開放したボックス状のものを横方向に連接して構成しても良い。この場合は、前記仕切板３０，３１は２重になるが、このような構成のキッチンキャビネットにも、本発明は適用することができることは勿論である。
【符号の説明】
【００５０】
１０    キッチンキャビネット
１１    流し台
１２    蛇口
１３    作業台
１４    ガスコンロ
１５    天板
１６    側板
１７    側板
２０    収納空間
２１    第１収納空間
２２    第２収納空間
２３    第３収納空間
２５    蝶番
２６    開き戸（第１収納空間）
２７    引出し（第２収納空間）
２８    引出し（第２収納空間）
２９    引出し（第２収納空間）
３０〜３３    仕切板
３４〜３６    スライドレール
３７    蝶番
３８    開き戸（第３収納空間）
３９    底板
４０    ウォールキャビネット
４１    収納空間
４２    開き戸
４３    蝶番
５０    引出し
５１、５２  引出し（第１収納空間）
５３〜５５  引出し（第２収納空間）
５６，５７  引出し（第３収納空間）
５８    開き戸（ウォールキャビネット）
６０    スライドレール付き支持板
６１ＳＲ〜６３ＳＲ  スライドレール
６１Ｌ，６１Ｒ  スライドレール付き支持板（第１収納空間）
６２Ｌ，６２Ｒ  スライドレール付き支持板（第２収納空間）
６３Ｌ，６３Ｒ  スライドレール付き支持板（第３収納空間）
Ａ      第１工程
Ｂ      第２工程
Ｃ      第３工程
Ｄ      第４工程
Ｅ      第５工程
Ｆ      第６工程
Ｇ      第７工程
Ｈ      第８工程
Ｉ      第９工程
【図１】
2014124254.tif 000003
【図２】
2014124254.tif 000004
【図３】
2014124254.tif 000005
【図４】
2014124254.tif 000006
【図５】
2014124254.tif 000007
【図６】
2014124254.tif 000008
【図７】
2014124254.tif 000009
【図８】
2014124254.tif 000010
【図９】
2014124254.tif 000011
【図１０】
2014124254.tif 000012
【図１１】
2014124254.tif 000013
【図１２】
2014124254.tif 000014
【図１３】
2014124254.tif 000015
【図１４】
2014124254.tif 000016
【図１５】
2014124254.tif 000017
【図１６】
2014124254.tif 000018
【図１７】
2014124254.tif 000019
【図１８】
2014124254.tif 000020